(57)【要約】【課題】記録媒体に記録されたプログラムを適切に消去することができる映像記録再生装置を提供すること。【解決手段】映像データで少なくとも構成される複数のプログラムを記録するプログラム記録部７と、プログラム記録部７に記録された第１のプログラムを削除する指示を受け付ける操作入力部９０１と、前記指示を受け付けた場合、第１のプログラムの再生情報を記録する削除プログラム情報記録部８と、第２のプログラムを再生する再生部５と、再生部５による第２のプログラムの再生が停止した場合、第２のプログラムの停止位置と、第１のプログラムの再生情報とにもとづいて、第２のプログラムが視聴済みであるか否かを判定する判定部６と、第２のプログラムが視聴済みであると判定された場合、第２のプログラムを削除または上書き対象と設定する処理部９と、を備える。【選択図】図１
2013207628.tif 000002
【特許請求の範囲】
【請求項１】
映像データで少なくとも構成される複数のプログラムを記録するプログラム記録部と、
前記記録部に記録された第１のプログラムを削除する指示を受け付ける入力部と、
前記指示を受け付けた場合、前記第１のプログラムの再生情報を記録する削除プログラム情報記録部と、
前記第２のプログラムを再生する再生部と、
前記再生部による前記第２のプログラムの再生が停止した場合、前記第２のプログラムの停止位置と、前記第１のプログラムの再生情報とにもとづいて、前記第２のプログラムが視聴済みであるか否かを判定する判定部と、
前記第２のプログラムが視聴済みであると判定された場合、前記第２のプログラムを削除または上書き対象と設定する処理部と、
を有する映像記録再生装置。
【請求項２】
放送信号を受信する受信部をさらに備え、
前記映像データは、前記放送信号として入力されることを特徴とする請求項１記載の映像記録再生装置。
【請求項３】
前記第１のプログラムは、第１の識別情報を含み、
前記第２のプログラムは、第２の識別情報を含み、
前記判定部は、前記第１の識別情報と前記第２の識別情報とが関連する場合、前記第２のプログラムの停止位置と、前記第１のプログラムの再生情報とにもとづいて、前記第２のプログラムが視聴済みであるか否かを判定することを特徴とする請求項１または請求項２記載の映像記録再生装置。
【請求項４】
前記第１の識別情報は、前記放送信号に含まれる前記第１のプログラムのタイトルを示し、
前記第２の識別情報は、前記放送信号に含まれる前記第２のプログラムのタイトルを示すことを特徴とする請求項３記載の映像記録再生装置。
【請求項５】
前記プログラム記録部は、リムーバルメディアであることを特徴とする請求項１乃至４のいずれか一項に記載の映像記録再生装置。
【請求項６】
前記指示を受け付けた場合、前記第１のプログラムの再生情報を外部ネットワークに送信する通信部を備えたことを特徴とする請求項１乃至５のいずれか一項に記載の映像記録再生装置。
【請求項７】
前記通信部は、前記第１のプログラムの再生情報を前記外部ネットワークから受信し、
前記判定部は、前記第２のプログラムの停止位置と、前記外部ネットワークから受信した前記第１のプログラムの再生情報とにもとづいて、前記第２のプログラムが視聴済みであるか否かを判定する請求項６記載の映像記録再生装置。
【請求項８】
前記入力部は、前記第１のプログラムの再生が停止された際の再生情報を保持するか否かの指示を受け付けることを特徴とする請求項１乃至７のいずれか一項に記載の映像記録再生装置。
【請求項９】
前記入力部は、前記第１のプログラムを削除する際に、前記第１のプログラムの再生情報を記録する否かの指示を受け付けることを特徴とする請求項１乃至８のいずれか一項に記載の映像記録再生装置。
【請求項１０】
前記入力部は、前記第１のプログラムを削除する際に、前記第１のプログラムの再生情報を前記削除プログラム情報記録部に記録されている情報に対して上書きするか否かの指示を受け付けることを特徴とする請求項１乃至９のいずれか一項に記載の映像記録再生装置。
【発明の詳細な説明】
【技術分野】
【０００１】
本発明は、映像記録再生装置に関し、特に、プログラムを再生することが可能な映像記録再生装置に関する。
【背景技術】
【０００２】
従来、プログラム（例えば、放送番組など）をハードディスクやリムーバルメディア、内蔵メモリーなどの記録媒体に記録や移動、コピーしたり、そのプログラムを再生する映像記録再生装置が知られている。
【０００３】
ここで、上述のような記録媒体の記録容量は限られているため、再生済みのプログラムをユーザが手動で消去するなどして記録容量を確保することが一般的に行われている。
【０００４】
しかしながら、再生済みのプログラムをユーザが手動で消去する操作は、煩雑であるため、操作の簡略化が求められていた。
【０００５】
そこで、特許文献１に記載の従来技術は、記録されているプログラムの記録時間に対して一定の割合（例えば、８０％）以上視聴済みである場合、そのプログラムを消去もしくは上書き可能に設定している。
【０００６】
これにより、上記の従来技術は、再生済みのプログラムの消去を自動化して、ユーザの操作を簡略化している。
【先行技術文献】
【特許文献】
【０００７】
【特許文献１】特開２００５−３１２００６号公報
【発明の概要】
【発明が解決しようとする課題】
【０００８】
しかしながら、上記の従来技術では、例えば、本編のみ（コマーシャルなし）で構成されたプログラムと、本編およびコマーシャルで構成されたプログラムといった、プログラムの構成の違いを考慮した消去判断を行っていなかった。
【０００９】
したがって、本編のみで構成されたプログラムの終盤付近（例えば、プログラムの記録時間に対して８０％の位置）で再生を停止していた場合に、本編がまだ２０％残っているにも関わらず消去の対象となってしまうという問題点があった。
【００１０】
また、プログラムによって記録時間は、例えば１５分、３０分、６０分、９０分、１２０分などと様々である。
【００１１】
したがって、全てのプログラムを消去する基準を一定の割合としたとき、プログラムの記録時間が長くなるほど、未視聴部分が多く残っているにも関わらず消去の対象となってしまう。例えば、プログラムの記録時間が１２０分の場合、２４分程度、未視聴部分があるにも関わらず消去対象のプログラムとなってしまうという問題点があった。
【００１２】
本発明は上記実情を鑑みてなされたものであり、記録媒体に記録されたプログラムを適切に消去することのできる映像記録再生装置を提供することを目的とする。
【課題を解決するための手段】
【００１３】
本発明の映像記録再生装置は、映像データで少なくとも構成される複数のプログラムを記録するプログラム記録部と、前記記録部に記録された第１のプログラムを削除する指示を受け付ける入力部と、前記指示を受け付けた場合、前記第１のプログラムの再生情報を記録する削除プログラム情報記録部と、前記第２のプログラムを再生する再生部と、前記再生部による前記第２のプログラムの再生が停止した場合、前記第２のプログラムの停止位置と、前記第１のプログラムの再生情報とにもとづいて、前記第２のプログラムが視聴済みであるか否かを判定する判定部と、前記第２のプログラムが視聴済みであると判定された場合、前記第２のプログラムを削除または上書き対象と設定する処理部と、を備えた構成を有する。
【００１４】
この構成により、前記判定部は、前記第２のプログラム視聴時に、削除プログラム情報記録部に保存されている削除した前記第１のプログラムの再生情報との比較を行うことで、前記第２のプログラムが視聴済みかどうかを判断することができる。
【００１５】
また、本発明の映像記録再生装置は、放送信号を受信する受信部をさらに備え、前記映像データが、前記放送信号として入力される構成としてもよい。
【００１６】
この構成により、前記プログラム記録部は、前記第１のプログラムおよび前記第２のプログラムの放送を受信し、記録することができる。
【００１７】
また、本発明の映像記録再生装置は、前記第１のプログラムが、第１の識別情報を含み、前記第２のプログラムが、第２の識別情報を含み、前記判定部が、前記第１の識別情報と前記第２の識別情報とが関連する場合、前記第２のプログラムの停止位置と、前記第１のプログラムの再生情報とにもとづいて、前記第２のプログラムが視聴済みであるか否かを判定する構成としてもよい。
【００１８】
この構成により、前記判定部は、前記第２のプログラムが視聴済みであるか否かを正確に判断することができる。
【００１９】
また、本発明の映像記録再生装置は、前記第１の識別情報が、前記放送信号に含まれる前記第１のプログラムのタイトルを示し、前記第２の識別情報が、前記放送信号に含まれる前記第２のプログラムのタイトルを示す構成としてもよい。
【００２０】
この構成により、前記判定部は、前記第１のプログラムと前記第２のプログラムが同じシリーズのプログラムであることを判断することができる。
【００２１】
また、本発明の映像記録再生装置は、前記プログラム記録部が、リムーバルメディアである構成としてもよい。
【００２２】
この構成により、本発明の映像記録再生装置は、前記プログラム記録部の拡張を行うことができる。
【００２３】
また、本発明の映像記録再生装置は、前記指示を受け付けた場合、前記第１のプログラムの再生情報を外部ネットワークに送信する通信部を備えた構成としてもよい。
【００２４】
この構成により、前記第１のプログラムの再生情報を外部ネットワーク経由で共用することができる。
【００２５】
また、本発明の映像記録再生装置は、前記通信部が、前記第１のプログラムの再生情報を前記外部ネットワークから受信し、前記判定部が、前記第２のプログラムの停止位置と、前記外部ネットワークから受信した前記第１のプログラムの再生情報とにもとづいて、前記第２のプログラムが視聴済みであるか否かを判定する構成としてもよい。
【００２６】
この構成により、前記判定部は、前記削除プログラム情報記録部が前記第１のプログラムの再生情報を保持していない場合でも、前記外部ネットワークから取得した情報を使用することができ、前記第２のプログラムが視聴済みであるかを判断することができる。
【００２７】
また、本発明の映像記録再生装置は、前記入力部が、前記第１のプログラムの再生が停止された際の再生情報を保持するか否かの指示を受け付ける構成としてもよい。
【００２８】
この構成により、本発明の映像記録再生装置は、ユーザが誤って操作してしまった時などに、前記プログラム記録部に前記第１のプログラムの再生情報を保持しないようにすることができる。
【００２９】
また、本発明の映像記録再生装置は、前記入力部が、前記第１のプログラムを削除する際に、前記第１のプログラムの再生情報を記録する否かの指示を受け付ける構成としてもよい。
【００３０】
この構成により、本発明の映像記録再生装置は、判定用に使用するプログラムの再生情報をユーザ操作により指定することができる。
【００３１】
また、本発明の映像記録再生装置は、前記入力部が、前記第１のプログラムを削除する際に、前記第１のプログラムの再生情報を前記削除プログラム情報記録部に記録されている情報に対して上書きするか否かの指示を受け付ける構成としてもよい。
【００３２】
この構成により、本発明の映像記録再生装置は、判定用に使用するプログラムの再生情報をユーザ操作により更新することができる。
【発明の効果】
【００３３】
本発明によれば、記録媒体に記録されたプログラムを適切に消去することができる。
【図面の簡単な説明】
【００３４】
【図１】本発明の実施の形態１における映像記録再生装置の構成を示すブロック図
【図２】本発明の実施の形態１における映像記録再生装置のプログラム情報記録部に記録されているテーブルのフォーマットを示す図
【図３】本発明の実施の形態１における映像記録再生装置の削除プログラム情報記録部に記録されているテーブルのフォーマットを示す図
【図４】本発明の実施の形態１における映像記録再生装置のプログラム削除判定動作を示すフローチャート
【図５】本発明の実施の形態１における映像記録再生装置のプログラム情報記録部に記録されているテーブルのフォーマット例を示す図
【図６】本発明の実施の形態１における映像記録再生装置の削除プログラム情報記録部に記録されているテーブルのフォーマットを示す図
【図７】プログラム削除時にレジューム情報を削除プログラム情報記録部に登録するかどうかを問い合わせる画面表示例を示す図
【図８】プログラム削除時に視聴済み終端位置情報を削除プログラム情報記録部に登録するかどうかを問い合わせる画面表示例を示す図
【図９】削除するプログラムを自動選択し、削除するかどうかを問い合わせる画面表示例を示す図
【図１０】削除するプログラムを自動選択し、特定の時間に削除するかどうかを問い合わせる画面表示例を示す図
【図１１】本発明の実施の形態２における映像記録再生装置の構成を示すブロック図
【図１２】本発明の実施の形態２における映像記録再生装置のプログラム削除判定動作を示すフローチャート
【図１３】本発明の実施の形態２における映像記録再生装置のプログラム削除時の動作を示すフローチャート
【発明を実施するための形態】
【００３５】
以下、本発明を実施するための形態について、図面を参照しながら説明する。
【００３６】
（実施の形態１）
本発明の実施の形態１の映像記録再生装置について説明する。
【００３７】
まず、本発明の実施の形態１における映像記録再生装置の構成について、図１を使って説明する。図１は、本発明の実施の形態１における映像記録再生装置の構成を示すブロック図である。
【００３８】
図示するように映像記録再生装置１は、再生制御部２と、削除制御部３と、再生部５と、判定部６と、プログラム記録部７と、削除プログラム情報記録部８と、操作入力部９０１と、モニタ９０２と、スピーカー９０３と、アンテナ９０４と、受信部９０５とから構成されている。
【００３９】
次に、映像記録再生装置１の各部について具体的に説明する。
【００４０】
操作入力部９０１は、リモコン操作の入力であったり、キーによる入力であったり、タッチ操作の入力であったりするが、受けた入力を表示しているＵＩや入力操作に従い、再生制御部２と削除制御部３に入力操作を通知する。
【００４１】
再生制御部２は、操作入力部９０１より通知された入力操作を元に再生部を制御し、プログラムの再生や一時停止、再開、早送り早戻し、停止などの操作を行う。
【００４２】
削除制御部３は、操作入力部９０１より通知された入力操作を元にプログラム記録部７の映像記録部７０１に保存されている第１のプログラムを削除する。その際にプログラム情報記録部７０２に保存されている当該プログラムの再生情報を削除し、削除プログラム情報記録部８に登録する。
【００４３】
再生部５は、再生制御部２より指示された要求に従い、プログラム記録部７の映像記録部７０１に保存されている第２のプログラムを再生し、モニタ９０２やスピーカー９０３に出力を行う。再生制御部２より再生停止が通知された場合、再生していた位置情報をレジューム情報としてプログラム情報記録部７０２に保存する。また、再生が停止したことを判定部６に通知する。また、前記第２のプログラムを再生した位置を再生履歴としてプログラム情報記録部７０２に保存する。その際に、再生時間が５秒程度以上継続された場合のみ再生履歴として保存してもよい。当該処理を行うことで、誤って再生位置が選択された際に再生履歴として保存されてしまう問題を防ぐことが出来る。
【００４４】
判定部６は、再生部５より前記第２のプログラムの再生が停止された通知を受けた際に、削除プログラム情報記録部８に保存されている前記第１のプログラムの再生情報とプログラム情報記録部７０２に保存されている再生情報を比較することで、削除可能もしくは上書き可能かどうかを判断し、可否の情報を処理部９に通知する。
【００４５】
プログラム記録部７は、ＳＤメモリーカードやハードディスクドライブ（Ｈａｒｄ  Ｄｉｓｋ  Ｄｒｉｖｅ：ＨＤＤ）、内部メモリーなどの記録媒体７０３を有する。記録媒体７０３は、映像データが記録されている映像記録部７０１と、各映像データのプログラム毎の再生情報が記録されるプログラム情報記録部７０２とを有する。映像記録部７０１及びプログラム情報記録部７０２に保存される映像データ及びプログラム情報には、記録媒体７０３が外部機器により保存されたものもあれば、アンテナ９０４で受信した放送信号を受信部９０５で保存に適した形に変換したデータを保存したものもありうる。
【００４６】
プログラム情報記録部７０２には、図２に記載するような情報が保存されている。
【００４７】
図示するようにプログラムの情報には、プログラムの識別番号（Ｐｒｏｇ）を登録するためのフィールドＨ１０１と、記録を開始した日時を登録するためのフィールドＨ１０２と、記録時間を登録するためのフィールドＨ１０３と、タイトルを登録するためのフィールドＨ１０４と、削除・上書き可否を登録するためのフィールドＨ１０５と、再生履歴を登録するためのフィールドＨ１０６と、視聴済み終端を登録するためのフィールドＨ１０７と、レジューム情報を登録するためのフィールドＨ１０８とを有する。
【００４８】
削除プログラム情報記録部８には、図３に記載するような再生した時の情報が保存されている。
【００４９】
図示するように削除プログラムの情報には、プログラムの識別番号（Ｐｒｏｇ）を登録するためのフィールドＨ２０１と、記録を開始した日時を登録するためのフィールドＨ２０２と、記録時間を登録するためのフィールドＨ２０３と、タイトルを登録するためのフィールドＨ２０４と、再生履歴を登録するためのフィールドＨ２０５と、視聴済み終端を登録するためのフィールドＨ２０６と、レジューム情報を登録するためのフィールドＨ２０７とを有する。
【００５０】
処理部９は、判定部６より受けた通知に従い、プログラム情報記録部７０２に保存されている当該プログラム情報に対して削除・上書き可否を保存する。
【００５１】
次に、本発明の実施の形態１における映像記録再生装置１の動作について、図４を使って説明する。
【００５２】
図４は、プログラムを再生し、再生を停止した際に当該プログラムが削除可、上書き可であるかどうかを判定するフローチャートである。
【００５３】
操作入力部９０１への入力（ステップＳ３０１）により再生制御部２が起動され、再生制御部２は、前記第２のプログラムの再生を再生部５に指示する。
【００５４】
次に、指示を受けた再生部５は、指定された前記第２のプログラムの再生を開始する（ステップＳ３０２）。
【００５５】
次に、再生入力部９０１への入力もしくは、前記第２のプログラムの終端まで再生したことにより再生が停止すると（ステップＳ３０３：ＹＥＳ）、再生部５は再生を停止し、レジューム情報及び再生履歴を再生情報としてプログラム情報記録部７０２に保存する（ステップＳ３０４）。
【００５６】
次に、再生部５は、再生の停止を判定部６に通知し、判定部６は、削除プログラム情報記録部８に保存されているタイトル情報と、プログラム情報記録部７０２に保存されている前記第２のプログラムのタイトル情報を比較し、同じタイトルの情報を見つける（ステップＳ３０５）。
【００５７】
次に、同じタイトルの情報があった場合は（ステップＳ３０５：ＹＥＳ）、判定部６は、プログラム情報記録部７０２に保存されているレジューム情報と、削除プログラム情報記録部８に保存されているレジューム情報とを比較し、差分が１５秒程度以内であるかどうかを判定する（ステップＳ３０６）。
【００５８】
差分が１５秒程度以上である場合は（ステップＳ３０６：ＮＯ）、判定部６は、プログラム情報記録部７０２に保存されている当該番組の視聴済み終端位置と、削除プログラム情報記録部８に保存されているレジューム情報とを比較し、差分が１５秒程度以内であるかどうかを判定する（ステップＳ３０８）。
【００５９】
ステップＳ３０６及びステップＳ３０８において、差分が１５秒程度以内である場合は（ステップＳ３０６：ＹＥＳ，ステップＳ３０８：ＹＥＳ）、判定部６は、当該番組の視聴履歴を調査し、同じ箇所が３回以上視聴されているかどうかを確認する。
【００６０】
３回以上視聴されている場合（ステップＳ３０７：ＹＥＳ）、判定部６は、当該プログラムは気に入られている部分を含むプログラムであると判断し、削除・上書きが不可であることを処理部９に通知する（ステップＳ３０７）。
【００６１】
通知を受けた処理部９は、削除不可・上書き不可の情報をプログラム情報記録部７０２の当該プログラム情報領域に保存する（ステップＳ３１０）。
【００６２】
一方、ステップＳ３０７において、３回以上視聴されていない場合（ステップＳ３０７：ＮＯ）、判定部６は、削除・上書きが可能であることを処理部９に通知する（ステップＳ３０７）。
【００６３】
次に、通知を受けた処理部９は、削除可・上書き可の情報をプログラム情報記録部７０２の当該プログラムの情報領域に保存する（ステップＳ３０９）。その後処理はステップＳ１０１に戻る。
【００６４】
例えば、プログラム記録部７には、プログラムＡ１〜Ａ６の映像データが保存され、プログラム情報記録部７０２には、図２に示すようなプログラム情報がプログラムごとに保存されているものとする。また、削除プログラム情報記録部８には、図３に示すような削除プログラム情報が保存されているものとする。プログラムＡ１は、タイトルが「デイリーニュース」であり、視聴済み終端とレジューム情報が共に００‘５５“１５となっている。同じタイトルのプログラム情報が図３のＢ１にあるため比較を行うと、レジューム情報が００’５５”１５となっているため、同じタイトルのプログラムのレジューム情報同士が誤差１５秒以内にあることを示している。そのため、Ａ１の削除・上書き可否は可となっている。
【００６５】
また、プログラムＡ２は、タイトルが「アニメ」であり、視聴済み終端とレジューム情報が共に００‘０５“２０となっている。同じタイトルのプログラム情報が図３に無いため、Ａ２の削除・上書き可否は否となっている。
【００６６】
また、プログラムＡ３は、タイトルが「映画」であり、視聴済み終端が０１‘５５“２０、レジューム情報が０１‘０５“００となっている。同じタイトルのプログラム情報が図３のＢ２にあるため比較を行うと、視聴済み終端が０１’５５”２０となっているため、同じタイトルのプログラムの視聴済み終端同士の誤差が１５秒以内にあることを示している。そのため、Ａ３の削除・上書き可否は可となっている。
【００６７】
また、プログラムＡ４は、タイトルが「音楽プログラム」であり、視聴済み終端が００‘５５“１５、レジューム情報が００‘１９“１０となっている。同じタイトルのプログラム情報が図３にあるが、Ａ４の視聴履歴には同じ箇所の視聴が３回以上含まれているため、気に入られている番組としてＡ４の削除・上書き可否は否となっている。
【００６８】
なお、削除制御部３が当該プログラムの情報を削除プログラム情報記録部８に登録する前に図７もしくは図８のような表示を行うことでユーザに操作させてもよい。
【００６９】
なお、判定部６が当該プログラムの情報を処理部９に通知する前に、図９もしくは図１０のような表示を行うことでユーザに操作させてもよい。
【００７０】
本発明の実施の形態１における映像記録再生装置によれば、映像記録部７０１に記録されている映像データを再生後、当該映像データが示すプログラムが視聴完了済みであるかどうかを判定することができ、プログラム記録部の容量に空きがなくなった時などに自動的にプログラムを削除し、空きを作ることが出来る。ユーザがプログラムを録画する際には、同じタイトルのプログラムを連続で（毎週、平日期間毎日等）録画することが多い。その為、毎回視聴の仕方が似ている同じタイトルのプログラム情報（再生履歴、視聴済み終端、レジューム情報）を利用することで、各タイトルの状況に合わせた判断が可能となっている。視聴済みのプログラムを削除する際に、削除するプログラムのプログラム情報を保持しておき、同じタイトルのプログラムを視聴した際に、削除済みのプログラム情報を使用することで、前回ユーザが手動で削除した際と同じ位置まで視聴しているかを判断材料に使用することができ、より正確な判断が可能となっている。
【００７１】
また、ユーザが気に入った番組を何度も視聴することがある。この場合は、気に入っている番組であると判断することで、削除対象外とすることが出来る。
【００７２】
また、本実施形態によれば、削除プログラム情報が削除プログラム情報記録部８に保存されているため、この情報をメニュー等の画面により一目で確認できる。
【００７３】
（実施の形態２）
本発明の実施の形態２について説明する。本発明の実施の形態２における映像記録再生装置は、上記の実施の形態１において、削除プログラム情報を、外部ネットワーク上のサーバーに対して送受信出来るようにしたものである。
【００７４】
図１１は、本発明の実施の形態２における映像記録再生装置の構成を示すブロック図である。図１１において、図１と同じ構成要素については同じ符号を用い、説明を省略する。
【００７５】
図示するように、本発明の実施の形態２の映像記録再生装置が、図１に示す実施の形態１の映像記録再生装置と異なる点は、外部ネットワークと通信を行う通信部９０６及びプログラム情報の送受信を制御するプログラム情報送受信部１０を設けたことである。実施の形態２において特に言及しない点については、実施の形態１と同様である。
【００７６】
図１１において、第２のプログラムの再生を停止した時点で判定部６が動作し、判定処理時にプログラム情報送受信部に対して当該プログラム情報の取得を要求する。
【００７７】
プログラム情報送受信部１０は、判定部６より通知されたプログラム情報取得指示を元に、通信部９０６を使用して、指定されたプログラムのプログラム情報の取得を行う。
【００７８】
通信部９０６は、プログラム情報送受信部の指示に従い、外部ネットワークと通信を行う。
【００７９】
また、削除制御部３が映像記録部７０１に保存されている前記第２のプログラムを削除する際に、プログラム情報を削除プログラム情報記録部８に保存するが、それと同時にプログラム情報送受信部１０に対して、当該プログラムのプログラム情報の送信を行う。
【００８０】
プログラム情報送受信部１０は、削除制御部３より通知されたプログラム情報送信指示を元に、通信部９０６を使用して、指定された前記第２のプログラムのプログラム情報の送信を行う。
【００８１】
次に、本発明の実施の形態２における映像記録再生装置の動作について説明する。
【００８２】
図１２は、再生部５が前記第２のプログラムを再生後、再生を停止した際に、判定部６が削除・上書き可否の判定を行うが、その際に判定部６がどのように削除プログラム情報を決定するかを示したフローチャートである。
【００８３】
まず、判定部６が当該プログラムに関連する削除プログラム情報を削除プログラム情報記録部８より取得しようとした際に、関連するプログラム情報が保存されていた場合（ステップＳ４０１：ＹＥＳ）、削除プログラム情報記録部８の情報を使用する（ステップＳ４０５）。
【００８４】
関連する削除プログラム情報がなかった場合（ステップＳ４０１：ＮＯ）、判定部６は、プログラム情報送受信部１０に対して、サーバーからの削除プログラム情報の取得を要求する。
【００８５】
要求を受けたプログラム情報送受信部１０は、通信部９０６を使用してサーバーより当該プログラムに関連する削除プログラム情報の取得を行う（ステップＳ４０２）。
【００８６】
次に、同じタイトルの削除プログラム情報がネットワーク上に存在した場合（ステップＳ４０３：ＹＥＳ）、プログラム情報送受信部１０はネットワーク上の削除プログラム情報を取得し、判定部６に取得した情報を通知する。
【００８７】
削除プログラム情報を通知された判定部６は、通知された削除プログラム情報を削除プログラム情報記録部８に保存する（ステップＳ４０４）。判定部６は、削除プログラム情報記録部８に保存されている削除プログラム情報を使用して判定処理を行う（ステップＳ４０５）。
【００８８】
また、図１３は、プログラム記録部７に保存されているプログラムを削除する際に動作する、削除プログラム情報保存の処理を示したフローチャートである。
【００８９】
ユーザが操作入力部９０１に入力した操作が削除制御部３に通知され（ステップＳ５０１）、削除制御部３はプログラム記録部７に保存されている、指定されたプログラムの削除を行う。
【００９０】
その際に、同じタイトルのプログラム情報が削除プログラム情報記録部８になかった場合、削除制御部３は、プログラム情報記録部７０２に保存されているプログラム情報をプログラム情報記録部８に保存する（ステップＳ５０３）。
【００９１】
次に、削除制御部３はプログラム情報送受信部１０に対して削除プログラム情報の保存を指示する。
【００９２】
指示を受けたプログラム情報送受信部１０は、通信部９０６を使用し、サーバー上の削除プログラム情報の状態を確認し（ステップＳ５０３）、同じタイトルの情報がない場合はサーバーに削除プログラム情報を保存する（ステップＳ５０４）。
【００９３】
本発明の実施の形態２における映像記録再生装置によれば、ユーザがまだ視聴したことがないタイトルのプログラムであっても、他のユーザが視聴済みで削除プログラム情報がサーバーに保存されている場合はその情報を使用することで、プログラムが視聴完了済みかどうかを判定し、自動的にプログラムの削除をすることが出来る。また、自分の操作によって作成された削除プログラム情報をサーバーに保存することで、他のユーザがその情報を利用することができる。
【００９４】
なお、図５のプログラムＡ５は、タイトルが「ニュース」であり、視聴済み終端が００‘５５“００、レジューム情報が００‘０５“００となっている。再生履歴の並びを見ると、最初にプログラムの終盤を再生後、プログラムの先頭付近から再生している途中のように見える。このように同じ位置を再生していない再生履歴と再生履歴の間に、特定の秒数（例えば１５０秒）以上の間隔が開いている場合、視聴済み終端が、タイトルが同じである図６の削除プログラム情報Ｂ４と同じであったとしても、削除・上書き可否を否としてもよい。これにより、判定部６は、最初にプログラムの終盤を視聴したあと、プログラムの先頭付近から視聴し始めており、一通り本編部分を視聴していないことの判断を行うことができる。
【００９５】
また、プログラムに付与されているプログラムの内容を示す情報（例えば００‘０１“００〜００’４３”３０は本編、００’４３”３０〜００‘４５“００はコマーシャル）が取得できる場合には、この情報と比較をして本編の再生が完了していない場合は、削除・上書き可否を否としてもよい。これにより、判定部６は、より正確にプログラム全体の本編部分を、すべて視聴していないことの判断を行うことができる。
【００９６】
また、図５のプログラムＡ６は、視聴済み終端が００‘５５“００、レジューム情報が００‘４４“００となっている。再生履歴の並びを見ると、最初にプログラムの終盤を再生後、プログラムの先頭付近から再生して、最初に見た位置の手前まで再生しているように見える。このように同じ位置を再生していない再生履歴と再生履歴の間に、特定の秒数（例えば１５０秒）以下の間隔しか開いていない場合、視聴済み終端が、タイトルが同じである図６の削除プログラム情報Ｂ４と同じであるため、削除・上書き可否を可としてもよい。これにより、判定部６は、最初にプログラムの終盤を視聴したあと、プログラムの先頭付近から視聴し始めたあとに、一通り本編部分を視聴していることの判断を行うことができる。
【００９７】
また、プログラムに付与されているプログラムの内容を示す情報（例えば００‘０１“００〜００’４３”３０は本編、００’４３”３０〜００‘４５“００はコマーシャル）が取得できる場合には、この情報と比較をして本編の再生が完了している場合は、削除・上書き可否を可としてもよい。これにより、判定部６は、より正確にプログラム全体の本編部分を、すべて視聴していることの判断を行うことができる。
【００９８】
また、図５のプログラムＡ７は、視聴済み終端が００‘５５“００、レジューム情報が００‘４４“００となっている。再生履歴の並びを見ると、最初にプログラムの終盤を再生後、プログラムの先頭付近から再生して、途中１分飛ばされた後に最初に再生した位置の手前まで再生しているように見える。このように同じ位置を再生していない再生履歴と再生履歴の間に、複数の特定の秒数（例えば１５０秒）以下の間隔しか開いていない場合、視聴済み終端が、タイトルが同じである図６の削除プログラム情報Ｂ４と同じであるため、削除・上書き可否を可としてもよい。これにより、判定部６は、最初にプログラムの終盤を視聴したあと、プログラムの先頭付近から視聴し始めたあと、途中でコマーシャルを飛ばして視聴した場合でも、一通り本編部分を視聴していることの判断を行うことができる。
【００９９】
また、プログラムに付与されているプログラムの内容を示す情報（例えば００‘０１“００〜００’０５”００は本編、００’０５”００〜００’０６”３０はコマーシャル、００’０６”３０〜００’４３”３０は本編、００’４３”３０〜００‘４５“００はコマーシャル）が取得できる場合には、この情報と比較をして本編の再生が完了している場合は、削除・上書き可否を可としてもよい。これにより、判定部６は、より正確にプログラム全体の本編部分を、すべて視聴していることの判断を行うことができる。
【０１００】
また、図５のプログラムＡ８は、視聴済み終端が００‘５５“００、レジューム情報が００‘４６“００となっている。再生履歴の並びを見ると、最初にプログラムの終盤を再生後、プログラムの先頭付近から再生して、最初に再生した位置とオーバーラップする位置まで再生しているように見える。このように再生履歴と再生履歴を合体して、複数の特定の秒数（例えば１５０秒）以下の間隔しか開いていない場合、視聴済み終端が、タイトルが同じである図６の削除プログラム情報Ｂ４と同じであるため、削除・上書き可否を可としてもよい。これにより、判定部６は、最初にプログラムの終盤を視聴したあと、プログラムの先頭付近から視聴し始めたあと、一通りの本編部分を視聴していることの判断を行うことができる。
【０１０１】
なお、削除プログラム情報記録部に保存してあるプログラム情報は、同じタイトルのより新しいプログラムを削除する際に作成されたプログラム情報によって上書きしてもよい。これにより、削除プログラム情報記録部は、より正確なプログラム情報に更新することができる。
【０１０２】
なお、レジューム情報や視聴済み終端時間との誤差の範囲が一定かどうかの判定で視聴済みかどうかの判定をするのではなく、プログラムの記録時間Ｈ１０３からレジューム情報Ｈ１０８や視聴済み終端Ｈ１０７を引いた数値と、削除プログラム情報の記録時間Ｈ２０３からレジューム情報Ｈ２０７もしくは視聴済み終端Ｈ２０６を引いた数値の比較を行い、誤差が一定の範囲であれば視聴済みと判定してもよい。これにより、例えば連続ドラマの最終回が特別に記録時間が長い場合でも、自動的に削除・上書き可能かどうかの判定を行うことが出来る。
【０１０３】
なお、視聴済み終端は、再生が１０秒程度継続した場合にのみその視聴位置を視聴済み終端として判断してもよい。これにより、操作ミスで視聴位置を進めてしまった場合でも、１０秒程度視聴していない場合は視聴済み終端と設定されなくなり、誤操作により視聴済み終端位置が意図しない位置に設定されることを防ぐことが出来る。
【０１０４】
なお、視聴済み終端およびレジューム情報は、画面上に表示して、ユーザが視聴および編集することが出来るようにしてもよい。これにより、削除プログラム情報記録部８は、より正確なプログラム情報に更新することができる。
【０１０５】
なお、図４で視聴履歴を調査し、同じ箇所が３回以上視聴しているかどうかを確認し、３回以上視聴されている場合は当該プログラムを削除・上書き不可と設定しているが、３回以上視聴されている領域のみを削除・上書き不可と設定し、それ以外は削除・上書き対象としてもよい。これにより、プログラム記録部は、繰り返し視聴したい大事な部分と、削除しても良い部分とを区別することができる。
【０１０６】
なお、図４で視聴履歴を調査し、同じ箇所が３回以上視聴しているかどうかを確認し、３回以上視聴されている場合は当該プログラムを削除・上書き不可と設定しているが、判定に使用する回数（上記では３回）の情報はユーザにより変更出来てもよい。これにより、判定部６は、繰り返し視聴したい大事な部分と判定する判定基準の変更を行うことができる。
【０１０７】
なお、図４で視聴履歴を調査し、同じ箇所が３回以上視聴しているかどうかを確認し、３回以上視聴されている場合は当該プログラムを削除・上書き不可と設定しているが、ユーザの操作により３回以上視聴している場合でも削除・上書き可能と設定してもよい。これにより、判定部６は、繰り返し視聴している部分で合っても削除・上書き可能であると設定することができる。
【産業上の利用可能性】
【０１０８】
本発明によれば、記録媒体に記録されたプログラムを適切に消去することができる。このため、本発明は、プログラムを記録媒体に記録したり、記録されたプログラムを再生することのできる携帯電話、パソコン、テレビなどの電子機器に有用である。
【符号の説明】
【０１０９】
１    映像記録再生装置
２    再生制御部
３    削除制御部
５    再生部
６    判定部
７    プログラム記録部
７０１    映像記録部
７０２    プログラム情報記録部
８    削除プログラム情報記録部
９    処理部
９０１    操作入力部
９０２    モニタ
９０３    スピーカー
９０４    アンテナ
９０５    受信部
９０６    通信部
１０    プログラム情報送受信部
【図１】
2013207628.tif 000003
【図２】
2013207628.tif 000004
【図３】
2013207628.tif 000005
【図４】
2013207628.tif 000006
【図５】
2013207628.tif 000007
【図６】
2013207628.tif 000008
【図７】
2013207628.tif 000009
【図８】
2013207628.tif 000010
【図９】
2013207628.tif 000011
【図１０】
2013207628.tif 000012
【図１１】
2013207628.tif 000013
【図１２】
2013207628.tif 000014
【図１３】
2013207628.tif 000015